(57)【要約】【課題】  複数の装飾部材が重ねて配置されている場合であっても、複数の装飾部材を被固定部材に容易に固定することが可能な装飾ユニットの固定構造を提供する。【解決手段】  装飾ユニット８０を表示板（被固定部材）５０に固定する装飾ユニットの固定構造であって、装飾ユニット８０は、表示板５０上に配置される第１の装飾部材８１と、第１の装飾部材８１を間に挟むように表示板５０上に配置される第２の装飾部材８２とを備え、第２の装飾部材８２は、第１の装飾部材８１に設けた貫通孔部８１ｄを貫通して表示板５０に延びる溶着用突起８２ｂを有し、溶着用突起８２ｂは、表示板５０に設けた結合用孔部５３に溶着固定される。【選択図】図３
2016150712.tif 000002
【特許請求の範囲】
【請求項１】
装飾ユニットを被固定部材に固定する装飾ユニットの固定構造であって、
前記装飾ユニットは、
前記被固定部材上に配置される第１の装飾部材と、
前記第１の装飾部材を間に挟むように前記被固定部材上に配置される第２の装飾部材とを備え、
前記第２の装飾部材は、前記第１の装飾部材に設けた貫通孔部を貫通して前記被固定部材側に延びる溶着用突起を有し、
前記溶着用突起は、前記被固定部材に設けた結合用孔部に溶着固定されることを特徴とする装飾ユニットの固定構造。
【請求項２】
装飾ユニットを被固定部材に固定する装飾ユニットの固定構造であって、
前記装飾ユニットは、
前記被固定部材上に配置される第１の装飾部材と、
前記第１の装飾部材を間に挟むように前記被固定部材上に配置される第２の装飾部材とを備え、
前記第２の装飾部材は、前記第１の装飾部材に設けた貫通孔部を貫通して前記被固定部材側に延びるフック部を有し、
前記フック部は、前記被固定部材に設けた結合用孔部に挿入され前記被固定部材の背面で前記結合用孔部の周縁に係合することを特徴とする装飾ユニットの固定構造。
【請求項３】
前記貫通孔部は、前記溶着用突起または前記フック部を位置決めするための位置決め部としての機能を兼ね備えていることを特徴とする請求項１または請求項２記載の装飾ユニットの固定構造。
【請求項４】
視認者側から前記装飾ユニットを見たときに、前記第２の装飾部材は、その色調が前記１の装飾部材の色調と異なるように視認されることを特徴とする請求項１から請求項３のうち何れか１つに記載の装飾ユニットの固定構造。
【発明の詳細な説明】
【技術分野】
【０００１】
本発明は、例えば複数の装飾部材で構成された装飾ユニットを、被固定部材に固定するための装飾ユニットの固定構造に関するものである。
【背景技術】
【０００２】
従来より、この種の装飾ユニットの固定構造にあっては、例えば下記特許文献１に記載されているものが知られている。この特許文献１に記載の装飾ユニットの固定構造は、目盛リングからなる第１の装飾部材と装飾リングからなる第２の装飾部材とで装飾ユニットが構成されるものであり、第１、第２の装飾部材は、ともに液晶パネルに画像として表示された指針画像の作動範囲を包囲するように液晶パネル上に重ねて配置される。
【０００３】
この場合、第１の装飾部材は、リング抑え部材に設けられた爪部によって液晶パネル側に抑えられた状態で液晶パネルとリング抑え部材との間に挟持され、また第２の装飾部材は、接着剤等の適宜固定手段を用いて液晶パネル上に固定するのが一般的である。
【先行技術文献】
【特許文献】
【０００４】
【特許文献１】特開２００９−６８８５８号
【発明の概要】
【発明が解決しようとする課題】
【０００５】
しかしながら、従来の装飾ユニットの固定構造では、第１の装飾部材を液晶パネル上に固定するために第１固定手段（上記リング抑え部材）が必要であり、さらに第２の装飾部材を液晶パネル上に固定するために前記第１固定手段とは別に第２固定手段（上記接着剤）が必要である。
【０００６】
このため、第１の装飾部材と第２の装飾部材とで構成される装飾ユニットを被固定部材である液晶パネルに固定するために２つの固定手段（前記第１、第２固定手段）を用いた場合、装飾ユニットの液晶パネル（被固定部材）への固定作業が煩雑となり、この点で更なる改良の余地が残されていた。
そこで本発明は、前述の課題に対して対処するため、複数の装飾部材が重ねて配置されている場合であっても、複数の装飾部材を被固定部材に容易に固定することが可能な装飾ユニットの固定構造の提供を目的とするものである。
【課題を解決するための手段】
【０００７】
本発明は、装飾ユニットを被固定部材に固定する装飾ユニットの固定構造であって、前記装飾ユニットは、前記被固定部材上に配置される第１の装飾部材と、前記第１の装飾部材を間に挟むように前記被固定部材上に配置される第２の装飾部材とを備え、前記第２の装飾部材は、前記第１の装飾部材に設けた貫通孔部を貫通して前記被固定部材側に延びる溶着用突起を有し、前記溶着用突起は、前記被固定部材に設けた結合用孔部に溶着固定されることを特徴とする。
【０００８】
また本発明は、装飾ユニットを被固定部材に固定する装飾ユニットの固定構造であって、前記装飾ユニットは、前記被固定部材上に配置される第１の装飾部材と、前記第１の装飾部材を間に挟むように前記被固定部材上に配置される第２の装飾部材とを備え、前記第２の装飾部材は、前記第１の装飾部材に設けた貫通孔部を貫通して前記被固定部材側に延びるフック部を有し、前記フック部は、前記被固定部材に設けた結合用孔部に挿入され前記被固定部材の背面で前記結合用孔部の周縁に係合することを特徴とする。
【０００９】
また本発明は、前記貫通孔部は、前記溶着用突起または前記フック部を位置決めするための位置決め部としての機能を兼ね備えていることを特徴とする。
【００１０】
また本発明は、視認者側から前記装飾ユニットを見たときに、前記第２の装飾部材は、その色調が前記１の装飾部材の色調と異なるように視認されることを特徴とする。
【発明の効果】
【００１１】
本発明によれば、初期の目的を達成でき、複数の装飾部材が重ねて配置されている場合であっても、複数の装飾部材を被固定部材に容易に固定することが可能な装飾ユニットの固定構造を提供できる。
【図面の簡単な説明】
【００１２】
【図１】本発明の第１実施形態による計器装置の正面図。
【図２】図１のＡ−Ａ断面図。
【図３】同実施形態による装飾ユニットと表示板とを示す要部拡大断面図。す斜視図。
【図４】本発明の第２実施形態による計器装置の要部拡大断面図。部拡大断面図。す斜視図。
【発明を実施するための形態】
【００１３】
（第１実施形態）以下、図１〜図３に基づいて、本発明の装飾ユニットの固定構造を車載用の計器装置に適用した一実施形態を説明する。
【００１４】
図１、図２において、本実施形態による計器装置は、例えば車両に搭載された速度計からなり、回路基板１０と、この回路基板１０に導通装着され回転軸２０が前方に延びる駆動装置３０と、回転軸２０にて回動駆動される指針４０と、この指針４０の背後に位置して回路基板１０上に配置される表示板（被固定部材）５０と、指針４０を照明する指針用光源６０と、表示板５０を照明する表示用光源７０と、指針４０の作動範囲を取り巻くように表示板５０の前方に配置される装飾ユニット８０と、回路基板１０と表示板５０との間に配置されるケース体９０とを備えている。
【００１５】
回路基板１０は、例えばガラスエポキシ系基材に配線パターン（図示せず）を施した硬質の配線基板からなり、指針用光源６０と、表示用光源７０と、駆動装置３０を駆動・制御する駆動手段と、抵抗、コンデンサ等の各種回路部品（図示せず）とが前記配線パターンに導通接続されている。
【００１６】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記制御手段）に電気接続される。
【００１７】
指針４０は、透光性の合成樹脂からなり、回転軸２０の先端に連結され、その回転中心部には遮光性カバー４１が装着されている。そして、この指針４０は指針用発光体６０からの光を受けて発光する発光式指針である。
【００１８】
表示板５０は、指針４０の回転軌道（作動範囲）に沿った円弧状の配列形状を有し、指針４０によって指示される目盛、数字等からなる表示部５１と、この表示部５１の背景を形成する背景部５２とを有している。
【００１９】
これら表示部５１、背景部５２は、表示部５１が例えば白色の透光性インクにより、背景部５２が例えば黒色の遮光性インクにより、それぞれ表示板５０の母材となる薄板状の透光性基板（図示せず）の前面に印刷形成される。なお、５３は、装飾ユニット８０に備えられる後述する複数個の溶着用突起がそれぞれ貫通する複数個の結合用孔部である。
【００２０】
指針用光源６０は、例えば赤色光を発するチップ型発光ダイオードからなり、指針４０の前記回転中心部に対応する回路基板１０上に複数個配置され、指針４０を赤色に発光させる発光体である。
【００２１】
表示用光源７０は、例えば白色光を発するチップ型発光ダイオードからなり、表示板５０の背後側となる回路基板１０上に複数個配置され、表示部５１を白色に発光させる発光体である。
【００２２】
装飾ユニット８０は、図３に示すように表示板５０上に配置（載置）される略円環状の第１の装飾部材８１と、この第１の装飾部材８１を間に挟むように表示板５０上に配置される略円環状の第２の装飾部材８２とを備え、この場合、第１の装飾部材８１及び第２の装飾部材８２は、ともに表示板５０の輪郭を形成する枠状、特に本例では円環リング状を有している。
【００２３】
第１の装飾部材８１は、視認者側から見たときに所定の色（例えば金色）にて視認される装飾リングからなる。例えば第１の装飾部材８１の母材となる黒色樹脂材の表面に金色塗装等を施すことにより、表面色が金色の第１の装飾部材８１を得ることができる。
【００２４】
また、第１の装飾部材８１は、断面略逆凹部形状に形成され、指針４０の作動範囲を取り巻くように表示板５０と第２の装飾部材８２との間に位置し、円環部８１ａと、この円環部８１ａの内端縁から表示板５０側に向けて垂下形成される径小環状壁部８１ｂと、円環部８１ａの外端縁から表示板５０側に向けて垂下形成される径大環状壁部８１ｃとを備えている。
【００２５】
円環部８１ａには、結合用孔部５３と対向する部分に、第２の装飾部材８２に備えられる後述する溶着用突起が貫通する貫通孔部８１ｄが開口形成されている。
【００２６】
ここで、貫通孔部８１ｄの開口幅の寸法は、前記溶着用突起の長手方向と直交する方向の幅寸法よりも僅かに大きくなっているため、ここでの貫通孔部８１ｄは、前記溶着用突起を貫通させる貫通孔としての機能だけではなく、前記溶着用突起を位置決めする（仮固定する）ための機能も兼ね備えていることになる。
【００２７】
第２の装飾部材８２は、視認者側から見たときに前記所定の色とは異なる他の色（例えば銀色）にて視認される装飾リングからなる。例えば第２の装飾部材８２の母材となる黒色樹脂材の表面に銀色塗装等を施すことにより、表面色が銀色の第２の装飾部材８２を得ることができる。
【００２８】
また、第２の装飾部材８２は、断面略半円環形状に形成され、指針４０の作動範囲を取り巻くように第１の装飾部材８１の前方側に配置され、環状本体部８２ａと、この環状本体部８２ａの略中央部（頂部）から表示板５０側に向けて真っ直ぐに垂下形成された溶着用突起８２ｂとを備えている。
【００２９】
溶着用突起８２ｂは、第１の装飾部材８１に設けた貫通孔部８１ｄを貫通して表示板５０側に延び、さらに表示板５０に設けた結合用孔部５３をも貫通して、表示板５０の背後側に突出する。なお、溶着用突起８２ｂと貫通孔部８１ｄと結合用孔部５３とは、各装飾部材８１、８２（図１中、仮想ラインＬ）に沿うように複数個（例えば６個）形成されている。
【００３０】
また、本例の場合、第１の装飾部材８１の円環部８１ａは、図３に示す断面形状幅寸法が環状本体部８２ａの断面形状幅寸法よりもいくらか大き目に設定され、環状本体部８２ａが円環部８１ａの内縁部分及び外縁部分を露出するように円環部８１ａ上に載置されるため、視認者側から装飾ユニット８０を見たときに、表面色が銀色の第２の装飾部材８２は、表面色が金色の第１の装飾部材８１を間に挟むような一対のリング形状にて視認される。
【００３１】
このように本例の場合、視認者側から装飾ユニット８０を見たときに、第２の装飾部材８２は、その色調が第１の装飾部材８１の色調と異なるように視認される構成となっている。
【００３２】
ここで、第１の装飾部材８１と第２の装飾部材８２とで構成される装飾ユニット８０を、被固定部材である表示板５０に固定するための装飾ユニット８０の固定構造について説明する。
【００３３】
まず、表示板５０の各結合用孔部５３と第１の装飾部材８１の各貫通孔部８１ｄとがそれぞれ向かい合うように、表示板５０上に第１の装飾部材８１を載置する。そして、第２の装飾部材８２の各溶着用突起８２ｂと各貫通孔部８１ｄとが位置合わせされた状態で、第２の装飾部材８２を表示板５０側に移動させると、各溶着用突起８２ｂが各貫通孔部８１ｄを貫通し、第２の装飾部材８２が第１の装飾部材８１に仮固定（位置決め）される。
【００３４】
この状態から、さらに第２の装飾部材８２を表示板５０側に移動させると、各溶着用突起８２ｂが各結合用孔部５３を貫通して表示板５０の背後側に突出する（飛び出る）とともに、第１の装飾部材８１の円環部８ａｂ上に第２の装飾部材８２の環状本体部８２ａが載置される。最後に、表示板５０の背後側に突出した各溶着用突起８２ｂ部分（各溶着用突起８２ｂの突出端部Ｇ）が、溶着によって表示板５０に設けた各結合用孔部５３に溶着固定される。以上により、第１の装飾部材８１と第２の装飾部材８２とで構成される装飾ユニット８０が被固定部材である表示板５０に固定される構成となる。
【００３５】
ケース体９０は、例えば白色の合成樹脂材料によって形成され、表示板５０を保持する保持体としての機能、指針用光源６０や表示用光源７０を収納するハウジングとしての機能、指針用光源６０及び表示用光源７０から発せられる照明光を前方側に反射する反射体としての機能を有している。
【００３６】
このケース体９０は、指針用光源６０からの照明光を指針４０に導くための開口部９１を有する筒状部９２と、この筒状部９２を取り巻くように表示板５０側に傾斜して延び表示用光源７０と対向する第１の反射部９３と、表示用光源７０を収納する開放部９４と、この開放部９４から外周に向けて表示板５０に近接する皿形状の環状壁からなる第２の反射部９５と、この第２の反射部９５の外周を取り巻く周壁部９６とを備えている。
【００３７】
以上のように、本実施形態では装飾ユニット８０が、表示板５０上に配置される第１の装飾部材８１と、この第１の装飾部材８１を間に挟むように表示板５０上に配置される第２の装飾部材８２とを備え、第２の装飾部材８２は、第１の装飾部材８１に設けた貫通孔部８１ｄを貫通して表示板５０側に延びる溶着用突起８２ｂを有し、溶着用突起８２ｂ（溶着用突起８２ｂの突出端部Ｇ）は、表示板５０に設けた結合用孔部５３に溶着固定されるものである。
【００３８】
従って、溶着用突起８２ａの突出端部Ｇを結合用孔部５３に溶着固定する単一の固定手段を用いて、第１の装飾部材８１が第２の装飾部材８２と表示板５０との間に挟持されるように、第２の装飾部材８２を表示板５０に固定することができるため、第１の装飾部材８１と第２の装飾部材８２とでなる装飾ユニット８０の表示板（被固定部材）５０への固定作業が従来よりも簡素化され、第１の装飾部材８１と第２の装飾部材８２とが表示板５０上に重ねて配置されている場合であっても、各装飾部材８１、８２を表示板５０に容易に固定することが可能な装飾ユニットの固定構造を提供することができる。
【００３９】
（第２実施形態）次に、本発明の第２実施形態を図４に基づいて説明するが、前述の第１実施形態と同一もしくは相当個所には同一の符号を用いてその詳細な説明は省略する。
【００４０】
この第２実施形態では、ケース体９０（表示板５０）上に第１の装飾部材８１が配置されるとともに、第１の装飾部材８１（第１の装飾部材８１及び表示板５０）を間に挟むようにケース体９０上に第２の装飾部材８２が配置され、第２の装飾部材８２が表示板５０ではなく、被固定部材としてのケース体９０にフック固定される構成となっている。なお、本第２実施形態においては、前記第１実施形態にて採用したケース体９０の周壁部９６が廃止されているものとする。
【００４１】
この場合、第２の装飾部材８２は、環状本体部８２ａと、この環状本体部８２ａの略中央部（頂部）から表示板５０側に向けて真っ直ぐに垂下形成された一対のフック部８３、８４とを備え、各フック部８３、８４の間には、円環部８１ａの板厚方向に沿って延びるスリット８５が形成されている。
【００４２】
そして、各フック部８３、８４は、図４に示すように円環部８１ａに設けた貫通孔部８１ｄ、表示板５０に設けた孔部５４並びにケース体９０に設けた後述する結合用孔部にそれぞれ挿入されて第１の装飾部材８１、表示板５０並びにケース体９０を貫通しており、それらの係合面８３ａ、８４ａがケース体９０の背面で前記結合用孔部の周縁に係合している。
【００４３】
またケース体９０は、第２の反射部９５の上端部から外側に向けて延長形成された水平壁部からなる平板部９７を有している。この場合、平板部９７は、表示板５０の背面と当接するように第２の反射部９５の上端部から外側に向けて延長形成されており、表示板５０の孔部５４に対応する位置には、当該孔部５４と連通するような結合用孔部９７ａが設けられている。
【００４４】
なお、この第２実施形態の場合においても、フック部８３、８４と孔部５４と結合用孔部９７ａは、各装飾部材８１、８２（図１中、仮想ラインＬ）に沿うように複数個（例えば６個）形成されている。
【００４５】
ここで、本第２実施形態における第１の装飾部材８１と第２の装飾部材８２とで構成される装飾ユニット８０を、被固定部材であるケース体９０に固定するための装飾ユニット８０の固定構造について説明する。
【００４６】
まず、表示板５０の各孔部５４と第１の装飾部材８１の各貫通孔部８１ｄとケース体９０の結合用孔部９７ａとがそれぞれ向かい合うように、ケース体９０上に表示板５０と第１の装飾部材８１とをこの順序で載置する。
【００４７】
そして、第２の装飾部材８２の各フック部８３、８４と各貫通孔部８１ｄとが位置合わせされた状態で、第２の装飾部材８２をケース体９０側に移動させると、各フック部８３、８４の傾斜面が、各貫通孔部８１ｄの周縁部分に当接することで各フック部８３、８４が互い近接するように窄まり（これによりスリット８５の幅寸法も小さくなる）、フック部８３、８４の外径合計幅が貫通孔部８１ｄの内径幅よりも小さくなって、各フック部８３、８４が貫通孔部８１ｄを通過（貫通）する。
【００４８】
各貫通孔部８１ｄを通過した各フック部８３、８４は、さらにケース体９０側に延び、貫通孔部８１ｄの開口幅よりも若干、幅の広い表示板５０の各孔部５４、並びに貫通孔部８１ｄと略同形状であるケース体９０（平板部９７）の各結合用孔部９７ａを貫通する。
【００４９】
ここで、各フック部８３、８４が各結合用孔部９７ａを貫通する際も、フック部８３、８４の外径合計幅が結合用孔部９７ａの内径幅よりも小さくなり、各フック部８３、８４は、各結合用孔部９７ａを通過した後、それ自体の幅方向拡張（膨脹）力により元の方向の位置に復帰し、各フック部８３、８４の外径合計幅が各結合用孔部９７ａの内径幅よりも大きくなることで、平板部９７（ケース体９０）の背面で各結合用孔部９７ａの周縁に係合する構成となる。
【００５０】
以上のように、本第２実施形態によれば、装飾ユニット８０は、ケース体（被固定部材）９０上に配置される第１の装飾部材８１と、この第１の装飾部材８１（第１の装飾部材８１及び表示板５０）を間に挟むようにケース体９０上に配置される第２の装飾部材８２とを備え、第２の装飾部材８２は、第１の装飾部材８１に設けた貫通孔部８１ｄ（貫通孔部８１ｄ及び孔部５４）を貫通してケース体９０側に延びるフック部８３、８４を有し、フック部８３、８４は、ケース体９０に設けた結合用孔部９７ａに挿入され平板部９７（ケース体９０）の背面で結合用孔部９７ａの周縁に係合するものである。
【００５１】
従って、第１の装飾部材８１と表示板５０とが第２の装飾部材８２とケース体９０との間に挟持されるように、第２の装飾部材８２をケース体９０に固定することができるため、第１の装飾部材８１と第２の装飾部材８２とでなる装飾ユニット８０のケース体（被固定部材）９０への固定作業が簡素化され、前記第１実施形態と同様の作用効果を得ることができる。
【００５２】
また前記各実施形態では、貫通孔部８１ｄは、溶着用突起８２ｂ（またはフック部８３、８４）が貫通する貫通孔としての機能だけではなく、溶着用突起８２ｂ（またはフック部８３、８４）を位置決めするための位置決め部としての機能を兼ね備えていることにより、第１の装飾部材８１は、図３中（または図４中）、円環部８１ａ上を左右に位置ズレすることが防止され、第２の装飾部材８２と表示板５０（または第２の装飾部材８２とケース体９０）との間に確実に挟持することができる。
【００５３】
なお、上述のように第１の装飾部材８１が、左右に位置ズレするのが防止されるので、図１中、リング形状の円環部８１ａや環状本体部８２ａの幅が全周に渡って略一定となり、円環部８１ａと環状本体部８２ａとの境界部分の見栄えが向上するという利点もある。
【符号の説明】
【００５４】
５０    表示板（被固定部材）
５３、９７ａ  結合用孔部
８０    装飾ユニット
８１    第１の装飾部材
８１ａ  円環部
８１ｂ  径小環状壁部
８１ｃ  径大環状壁部
８１ｄ  貫通孔部
８２    第２の装飾部材
８２ａ  環状本体部
８２ｂ  溶着用突起
８３、８４  フック部
８５    スリット
９０    ケース体（被固定部材）
９７    平板部
Ｇ    突出端部
【図１】
2016150712.tif 000003
【図２】
2016150712.tif 000004
【図３】
2016150712.tif 000005
【図４】
2016150712.tif 000006